(57)【要約】【課題】プレー中のゴルファーに、精神状態を安定させると共に  リラックス効果を与える芳香臭を吸引させ、ゴルファーの精神状態を安定に保って、集中力を高めることができるようにする。【解決手段】生ゴムからゴルフクラブ用ゴムグリップを製造する配合工程において、生ゴム１００重量％に対して、外割として、精神状態を安定させると共に、リラックス効果を与えて、神経を集中させ、集中力を高めることができる植物性天然芳香成分０．０５〜１０重量％を、各種配合剤と共に混合してゴルフクラブ用ゴムグリップを製造する。【選択図】なし【特許請求の範囲】
【請求項１】
生ゴムからゴルフクラブ用ゴムグリップを製造する配合工程において、生ゴム１００重量％に対して、外割として、精神状態を安定させると共に、リラックス効果を与えて、神経を集中させ、集中力を高めることができる植物性天然芳香成分０．０５〜１０重量％を、各種配合剤と共に混合することを特徴とする芳香臭を発するゴルフクラブ用ゴムグリップの製造方法。
【発明の詳細な説明】
【技術分野】
【０００１】
本発明は、プレー中のゴルファーに、精神状態を安定させると共に  リラックス効果を与える芳香臭を吸引させ、ゴルファーの精神状態を安定に保って、集中力を高めることができるようにした芳香臭を発するゴルフクラブ用ゴムグリップの製造方法に関するものである。
【背景技術】
【０００２】
ゴルフは、神経を集中させてプレーを行わない限り、良いスコアをあげることは期待できない、極めてメンタルなスポーツである。しかしながら、ゴルファーがプレー中に神経を集中させて、集中力を高めることは極めて困難なことである。一方、ストロベリー、ペパーミント、チェリー、オレンジ等を原料として生成された植物性天然芳香成分から発する芳香臭は、精神状態を安定させると共に  リラックス効果を与えて、神経を集中させる作用を有することが知られている。
【０００３】
しかしながら、前記植物性天然芳香成分をゴルフクラブ用ゴムグリップに含有せしめて、プレー中のゴルファーに芳香臭を発して、精神状態を安定させると共に  リラックス効果を与えて、神経を集中させ、集中力を高めるようにしたゴルフクラブ用ゴムグリップは実用に供されていない。
【０００４】
また、過去の特許文献を遡及検索しても、ゴルフクラブ用ゴムグリップに、精神状態を安定させると共に  リラックス効果を与えて、神経を集中させ、集中力を高めるようにした芳香成分を含有したものは全く出願されておらず、単に下記の特許文献１・２で示すように、簡単に交換できるようにするとか、耐久性を向上させることを目的としたものが公知である。
【０００５】
【特許文献１】特開２００５−１６８５２７号公報
【特許文献２】特開平９−１９２２７６号公報
【発明の開示】
【発明が解決しようとする課題】
【０００６】
前記のように、従来は、精神状態を安定させると共に  リラックス効果を与えて、神経を集中させ、集中力を高めるようするという手段はグリップには全く施されていなかったために、ゴルファー自身が自律的に神経を集中させる以外に方法がなく、すべてのプレー中に一律に神経を集中させるということは困難で、スコアが乱れてしまうという課題があった。
【０００７】
本発明は、前記課題を解決すべくなされたものであって、ゴルフクラブ用ゴムグリップに、精神状態を安定させると共に  リラックス効果を与えて、神経を集中させ、集中力を高めることができる芳香成分を含有せしめ、プレー中に、その芳香臭を嗅いだゴルファーの精神を安定させて、神経をプレーに集中できるようにした芳香臭を発するゴルフクラブ用ゴムグリップの製造方法を提供しようとするものである。
【課題を解決するための手段】
【０００８】
本発明は、前記課題を解決するため、生ゴムからゴルフクラブ用ゴムグリップを製造する配合工程において、生ゴム１００重量％に対して、外割として、精神状態を安定させると共に、リラックス効果を与えて、神経を集中させ、集中力を高めることができる植物性天然芳香成分０．０５〜１０重量％を、各種配合剤と共に混合することを特徴とする芳香臭を発するゴルフクラブ用ゴムグリップの製造方法を提供する。
【発明の効果】
【０００９】
本発明製造方法により製造されたゴムグリップを挿着固定したゴルフクラブを使用すると、ゴルファーはプレー中において、該ゴムグリップ内に含有する、精神状態を安定させると共に  リラックス効果を与えて、神経を集中させ、集中力を高めることができる芳香成分から発散する芳香臭を鼻孔より吸引し、神経を集中させてプレーに集中できるので、スコアの向上を期待することができる。
【実施例】
【００１０】
本発明の実施例を詳細に説明する。ゴルフクラブに使用されるゴムグリップは、天然ゴムや合成ゴムが目的に応じてそれぞれ使用されているが、本発明製造方法においては、天然ゴムを使用する。
【００１１】
本発明製造方法は、ゴルフクラブ用ゴムグリップは、天然ゴムの製造工程中において、精神状態を安定させると共に  リラックス効果を与えて、神経を集中させ、集中力を高めることができる芳香成分を含有せしめて製造される。
【００１２】
天然ゴム製品は、素練り工程、配合（混練り）工程、成型工程および加硫工程を経て製造されるが、本発明は、配合工程において、精神状態を安定させると共に  リラックス効果を与えて、神経を集中させ、集中力を高めることができる芳香成分を、各種配合剤と共に、素練り工程を終わり、混和性の増した生ゴムに混合する。
【００１３】
配合工程において、加硫剤、加硫促進剤、軟化剤、老化防止剤、補強剤、着色剤等の各種配合剤と共に、生ゴムに混合される芳香成分としては、特に限定する必要はないが、好ましくは、精神状態を安定させると共に  リラックス効果を与えて、神経を集中させ、集中力を高めることができる芳香成分として知られるラベンダー、ストロベリー、ローズマリー、ジャスミン、ペパーミント、オレンジ、チェリー、スペアミント、メントール、ヒノキオイル、リモネン等の植物性天然芳香成分を使用することが推奨される。
【００１４】
また、前記芳香成分の生ゴムに対する混合割合は、特に限定する必要はないが、好ましくは、生ゴム１００重量％に対して、外割として、芳香成分０．０５〜１０重量％、特に好ましくは芳香成分０．１〜０．５重量％、最も好ましくは、芳香成分０．２〜０．４重量％とすることが推奨される。
【００１５】
そして、前記配合工程において、各種配合剤と共に芳香成分を混合した生ゴムは、次の成型工程において、グリップ成型用の金型に投入してグリップの形状に成型され、然る後、最終工程の加硫工程において、前記成型工程において成型されたグリップに加硫処理を施すことにより、ゴルフクラブ用ゴムグリップが製造される。
【００１６】
前記各工程を経て製造されたゴルフクラブ用ゴムグリップは、従来のグリップと同様、ゴルフクラブに挿着固定して使用することにより、該ゴムグリップ内に含有する芳香成分からの芳香が常に発散し、ゴルファーの顔、すなわち鼻はアドレス時には必ず下方を向くので、鼻孔がゴムグリップに近づき、前記発散された芳香臭を吸引することができる。前記芳香成分には、精神状態を安定させると共に  リラックス効果を与えて、神経を集中させ、集中力を高めることができ、その結果、アドレスからインパクトに至るまでの間、ゴルファーが前記芳香成分から発散した芳香臭を吸引することにより、神経を集中させることができるので、スコアの向上を期待することができる。
【００１７】
なお、前記ゴムグリップ内に含有された芳香成分の芳香臭が薄れた場合は、前記ゴムグリップをサンドペーパー等により削ることにより、再び芳香臭を発散させることができる。そしてまた、前記サンドペーパーでゴムグリップを削ることにより、摩擦係数が大となり、滑り止め作用を果たすという効果もある。